(57)【要約】      （修正有）【課題】ウイルスの感染予防の観点から安心して使用できるとともに、職員による清掃作業及び消毒作業を省略あるいは軽減できる幼児用パイプ椅子を提供する。【解決手段】パイプで構成した椅子骨格１と、椅子骨格１に取り付けられた座板の両面を抗ウイルスメラミン樹脂化粧板で被覆した座部２とを備えた幼児用パイプ椅子である。背当部３は、椅子骨格１に取り付けられた背板の両面を抗ウイルスメラミン樹脂化粧板で被覆している。【選択図】図２
0003227706.tif 000002
【実用新案登録請求の範囲】
【請求項１】
パイプで構成した椅子骨格と、該椅子骨格に取り付けられた座板の両面を抗ウイルスメラミン樹脂化粧板で被覆した座部とを備えた幼児用パイプ椅子。
【請求項２】
上記椅子骨格に取り付けられた背板の両面を抗ウイルスメラミン樹脂化粧板で被覆した背当部をさらに備えたことを特徴とする請求項１に記載の幼児用パイプ椅子。
【請求項３】
上記座板及び背板の端面を、抗ウイルスメラミン樹脂化粧板でさらに被覆したことを特徴とする請求項１又は請求項２に記載の幼児用パイプ椅子。
【考案の詳細な説明】
【技術分野】
【０００１】
本考案は、幼児用パイプ椅子に関する。
【背景技術】
【０００２】
保育園・幼稚園等で園児が使用する幼児用椅子は、軽量化・スタッキング容易性を考慮して設計されてきた。
このため、パイプで構成した椅子骨格に合板の座板及び背板を取り付けたものが使用されている。また、必要に応じて背板を省略した幼児用椅子もある。
【０００３】
保育園・幼稚園等では、幼児が使用した椅子の清掃を行ってきた。また最近では、ウイルスによる感染予防を意識して、職員が幼児用椅子の座板及び背板の表面の消毒作業を行っている。
ところが、幼児が幼児用パイプ椅子を自分で運んだり、片付けたりする際に、幼児用パイプ椅子の座板あるいは背板の表面のみならず座板あるいは背板の裏面に、汚れた手で無意識に触れる機会がある。
このため、ウイルスによる集団感染防止上、座板及び背板の表面の消毒作業に加えて座板及び背板の裏面の消毒作業が必要とされ、この作業が職員の負担となっている。
【０００４】
他方、耐熱性・耐水性・耐摩耗性に優れたメラミン樹脂化粧板が知られている。またこの性質を活かして、ボードの表面をメラミン樹脂化粧板で被覆した天板なども提案されている。（例えば、特許文献１ないし３参照）
さらに、ウイルスを不活性化する抗ウイルス性を付加したメラミン樹脂化粧板も販売されている。
【０００５】
このような背景から、幼児用パイプ椅子に対して、ウイルス感染予防の観点から、ウイルスを不活性化する抗ウイルス性のあるメラミン化粧板を採用することが考えられる。
【先行技術文献】
【特許文献】
【０００６】
【特許文献１】特開２００２−３０６２５１号公報
【特許文献２】特開２００４−３２２３２０号公報
【特許文献３】特開２００９−２９１４３０号公報
【考案の概要】
【考案が解決しようとする課題】
【０００７】
本考案は、ウイルスの感染予防の観点から安心して使用できるとともに、職員による清掃作業及び消毒作業を省略あるいは軽減できる幼児用パイプ椅子を提供することを課題とする。
【課題を解決するための手段】
【０００８】
本考案の上記課題を解決するための手段は、次のとおりである。
（１）パイプで構成した椅子骨格と、該椅子骨格に取り付けられた座板の両面を抗ウイルスメラミン樹脂化粧板で被覆した座部とを備えた幼児用パイプ椅子。
（２）上記椅子骨格に取り付けられた背板の両面を抗ウイルスメラミン樹脂化粧板で被覆した背当部をさらに備えたことを特徴とする上記（１）に記載の幼児用パイプ椅子。
（３）上記座板及び背板の端面を、抗ウイルスメラミン樹脂化粧板でさらに被覆したことを特徴とする上記（１）又は（２）に記載の幼児用パイプ椅子
【考案の効果】
【０００９】
本考案に係る幼児用パイプ椅子によれば、次のような効果が得られる。
（１）座板・背板の両面を、ウイルスを不活性化する抗ウイルスメラミン樹脂化粧板で被覆したことにより、ウイルス感染予防の観点から安心して使用できる幼児用パイプ椅子が得られる。
（２）幼児用パイプ椅子の座板・背板の両面を抗ウイルスメラミン樹脂化粧板で被覆したため、職員による幼児用パイプ椅子の座板・背板の消毒作業を省略あるいは軽減できる。
（３）幼児用パイプ椅子の座板・背板の両面を抗ウイルスメラミン樹脂化粧板で覆ったため、従来の合板を用いた座板・背板にみられた、スタッキング時の座板・背板の木口が傷つきにくくなり、捲れ上がりにくくなることで衣服を傷めることを予防できる。
【図面の簡単な説明】
【００１０】
【図１】本考案に係る幼児用パイプ椅子の正面図である。
【図２】本考案に係る幼児用パイプ椅子の側面図である。
【図３】本考案に係る幼児用パイプ椅子の座部の拡大側断面図である。
【考案を実施するための形態】
【００１１】
（実施例）
本考案に係る幼児用パイプ椅子を例示して、本考案について説明する。
図１は、本考案に係る幼児用パイプ椅子の正面図である。パイプで構成した椅子骨格１に座部２と背当部３が取り付けられている。
【００１２】
図１に示す幼児用パイプ椅子では、座部２は、座板の両面に抗ウイルスメラミン樹脂化粧板を被覆している。
また、背当部３も背板の両面に抗ウイルスメラミン樹脂化粧板を被覆している。
【００１３】
図２は、本考案に係る幼児用パイプ椅子の側面図である。
図３は、座部２の拡大側断面図である。座板４は、ラワン材等からなる１０ｍｍ厚程度の合板からなっている。この合板からなる座板の両面は、０．９ｍｍ厚の抗ウイルスメラミン樹脂化粧板５で被覆してある。
【００１４】
背板も、座板と同様にラワン材等からなる１０ｍｍ厚程度の合板からなっている。この合板からなる背板の両面は、０．９ｍｍ厚の抗ウイルスメラミン樹脂化粧板で被覆してある。
さらに、合板からなる座板の端面も抗ウイルスメラミン樹脂化粧板５で被覆してもよい。
【００１５】
本考案に係る幼児用パイプ椅子は、座板・背板の両面を抗ウイルスメラミン樹脂化粧板で被覆しているため、幼児が汚れた手で無意識に触ったりしても安心して使用できる。
また、椅子の消毒のため無理な姿勢をとって座部の裏側迄消毒していた消毒作業を省略あるいは軽減できる。
【００１６】
さらに、幼児用パイプ椅子の座板・背板の両面を抗ウイルスメラミン樹脂化粧板で被覆したため、従来の合板を用いた座板・背板にみられた、スタッキング時の座板・背板の木口が傷つきにくくなり、捲れ上がりにくくなることで衣服を傷めることを予防できる。
【００１７】
（他の実施例）
実施例として、背当部を有する幼児用パイプ椅子を例示して本考案を説明したが、本考案は、背当部がない幼児用パイプ椅子にも適用可能である。
【００１８】
（本考案の技術的範囲）
本明細書に開示した実施例は、本考案の理解を容易にするために例示したものであって、本考案はこれに限定されない。
すなわち、本考案は、実用新案登録請求の範囲を逸脱しない限り、幼児用パイプ椅子について、適宜の設計変更が可能であることは言うまでもないことである。
【符号の説明】
【００１９】
１  パイプで構成した椅子骨格
２  座部
３  背当部
４  座板
５  抗ウイルスメラミン樹脂化粧板
【図１】
0003227706.tif 000003
【図２】
0003227706.tif 000004
【図３】
0003227706.tif 000005